(57)【要約】【課題】安価に提供でき、嵩張らず、多種類のデザインのものを容易に提供でき、汚れたときの廃棄も容易なティッシュペーパホルダを提供する。【解決手段】板紙製の筒体１１と挿入体１２で形成される。筒体１１は、中央に折畳み線８を備えた台形の両側板４と、前面板２と、両側板４の少なくとも下部相互間に位置する背面板５と、底形成片７とを備えている。挿入体１２は、台形ないし三角形の内側板１０と、受板９とを備えている。筒体１１は、折畳み線８で扁平に折畳むことができ、折畳み線８を延ばし、底形成片７相互を組み合わせることにより組み立てる。挿入体１２は、内側板を側板４の内面に添わせて筒体１１内に挿入する。筒体の前面板２と挿入体の受板９との間にティッシュペーパを挿入する。挿入体の受板９と筒体の背面板５との間には、屑入れないし小物入れとなる空所１９が形成される。【選択図】      図５
2006206098.tif 000002
【特許請求の範囲】
【請求項１】
板紙製箱体(11)とその箱体内に内挿される板紙製挿入体(12)とからなり、前記箱体は、中央に縦方向の折畳み線(8)を備えた台形の両側板(4)と、山折線(3a)を介して両側板(4)の前縁相互間に位置する中央に長孔１を備えた前面板(2)と、第２の山折線(3b)を介して両側板(4)の後縁の少なくとも下部相互間に位置する背面板(5)と、これら両側板の底辺及び／又は前面板と背面板の底辺から内側に折り込まれて底面を形成する底形成片(7a,7b,7c,7d)とを備え、前記挿入体は、前記側板の前縁と等しい傾斜角の前縁を備えた台形ないし三角形の内側板(10)と、山折線(3e)を介して両内側板(10)の前縁相互間に位置する受板(9)とを備えている、折畳みティッシュペーパホルダ。
【発明の詳細な説明】
【技術分野】
【０００１】
この発明は、カートンに収容されたティッシュペーパやフィルムで包装された詰替用のティッシュペーパを収納するホルダに関するもので、小物入れないし屑入となる空所を備えた折畳み可能な上記ホルダに関するものである。
【背景技術】
【０００２】
ティッシュペーパは、通常板紙製の矩形のカートンに収容して提供されている。また、一部には空になったカートンの小口端を開いて新しいティッシュペーパを挿入するための薄い透明フィルムで包装した詰替用のティッシュペーパも提供されている。これらのカートンや包装フィルムの上面には、ティッシュペーパを一枚ずつ引き出すための長孔ないしスリットが設けられている。
【０００３】
ティッシュペーパは手近に置いて必要なときにすぐ取り出せるようにしたいので、家屋内の複数箇所に置かれていることが多い。また、取り出したティッシュペーパは、すぐに使用して廃棄されるのが普通なので、近くに屑入がないといちいち屑入の所まで捨てに行かねばならず、面倒である。更にティッシュペーパを机の上などに置く場合、それなりのスペースが必要で、机を広く使用したいときに邪魔になることも多い。
【０００４】
このようなことから、ティッシュペーパの背後に隣接して屑入として使用できる空所を設けたティッシュペーパホルダが下記特許文献１や特許文献２で提案されている。特許文献２のものは、ティッシュペーパのカートンを縦方向に保持するようになっており、設置スペースを節約できる。また、特許文献３や特許文献４には、ティッシュペーパ収納部の下方を屑入としたティッシュペーパホルダが提案されている。
【特許文献１】実開昭６１−１４５７０３号公報
【特許文献２】実開昭６２−２５６８０号公報
【特許文献３】実開昭５１−１１６２３６号公報
【特許文献４】実開昭６２−３３５７８号公報
【発明の開示】
【発明が解決しようとする課題】
【０００５】
上記文献等で提案されているティッシュペーパホルダは、使えばそれなりに便利なものであるけれども、なければ困るというほどのものでもないので、価格が高かったり、買って持ち帰るのに嵩張ったりすると、使おうとする人は少なくなる。特に屑入を並設した構造では、長期間使用するとどうしても汚れて見苦しくなるので、恒久的な使用を前提としたものは、やがて使われなくなってしまう。
【０００６】
また、このようなティッシュペーパホルダは、机の上や棚に置くとそれなりに目立つ存在となるので、好みの絵柄のものを使いたいとか、季節の変化や部屋の模様替えの際に、異なる絵柄のものに交換したいという要求も生ずる。
【０００７】
そこでこの発明は、安価に提供することができて、在庫や販売の際に嵩張らず、色彩や絵柄の異なる多種類のデザインのものを容易に提供することができ、汚れたときの廃棄も容易なティッシュペーパホルダを提供することを課題としている。
【課題を解決するための手段】
【０００８】
この発明は、折畳んだ状態で販売することができ、糊や鋏を使わないで簡単に組立てることができる板紙製の、屑入として使用できる空所を備えた、ティッシュペーパホルダを提供することにより、上記課題を解決したものである。
【０００９】
この発明のティッシュペーパホルダは、一枚の板紙から打ち抜かれて、所定の折線を付され、その両側端編を接着した筒体１１と、一枚の板紙から打ち抜かれて所定の折線を付された挿入体１２で形成されている。挿入体１２は組み立てた筒体１１内に挿入されるものである。筒体１１は、中央に縦方向の折畳み線８を備えた台形の両側板４と、山折線３ａを介して両側板４の前縁相互間に位置する中央に長孔１を備えた前面板２と、第２の山折線３ｂを介して両側板４の後縁の少なくとも下部相互間に位置する背面板５と、これら両側板４の底辺又は前後の面板２、５の底辺、あるいは両側板４及び前後面板２、５の底辺から内側に折り込まれて底面を形成する底形成片７ａ、７ｂ、７ｃ、７ｄとを備えている。挿入体１２は、筒体の側板４の前縁と等しい傾斜角の前縁を備えた台形ないし三角形の内側板１０と、山折線３ｅを介して両内側板１０の前縁相互間に位置する受板９とを備えている。
【００１０】
上記構造の筒体１１は、折畳み線８を折り曲げて扁平に折畳むことができる。折畳み線８を谷折りとし、挿入体１２の内側板１０を内側へ折畳めば、ティッシュペーパのカートンの前面より底形成片７の分だけ広い略矩形状に折畳まれるので、この状態で包装袋に入れて在庫及び販売すれば、貯蔵、陳列、持ち運びなどに嵩張ることがない。
【００１１】
折畳まれた筒体１１ａは、折畳み線８を延ばし、底形成片７を内側に９０度折曲げて公知の差込み構造で組み合わせることにより、底面を形成して筒体１１を組み立てる。そして、挿入体１２の内側板１０を９０度に延ばし、当該内側板が筒体の側板４の内面に添設された状態で背面板５の内面に当接するように挿入体１２を筒体１１内に挿入する。
【００１２】
この状態で筒体の前面板２と挿入体の受板９との間にティッシュペーパを挿入する矩形筒状の空間が形成されるので、当該空間にカートン入りのティッシュペーパ又は詰替用のティッシュペーパを上方から差し込むように挿入する。挿入体の受板９と筒体の背面板５との間には、上部が開口された空所１９が形成されるので、この空所を使った後のティッシュペーパを投入する屑入とする。屑篭等が近くにあって、この空所１９を屑入とする必要がなければ、小物入れとして使用すればよい。
【００１３】
組み立てたホルダの外面は、展開された筒体１１ｂの一方の面によって形成されるので、筒体を打ち抜く板紙の一方の面に種々の色彩や模様を印刷すれば、種々の色彩や模様のティッシュペーパホルダが得られる。
【００１４】
この発明のティッシュペーパホルダは、ティッシュペーパを斜め上向きとなった前面板２の長孔１から取り出す構造となり、ティッシュペーパを机の上に置いた場合でも、高い棚の上に置いた場合でも取り出しが容易である。この発明のホルダは、ティッシュペーパを長手方向を左右方向にして収納する構造とすることもできるが、長手方向を上下方向にして収納する構造が設置スペースを小さくできる。
【００１５】
挿入体の受板９には、フィルムで包装された詰替用のティッシュペーパをそのままこの発明のホルダに挿入して使用することを考慮して、ティッシュペーパが少なくなったときに、それを前面板２に向けて付勢する切起し辺２０を設けておくこともできる。
【発明の効果】
【００１６】
この発明のティッシュペーパホルダは、板紙製で安価に提供することができ、折畳んだ状態で貯蔵や販売等ができるので、流通コストもかからない。また、印刷により色彩や模様を付すことが容易にできるので、種々のデザインのものを安価に提供でき、使用者の好みや部屋のデザインにあったものを選択可能にすることが容易である。また、ホルダ内へのティッシュペーパの挿入や交換が容易に可能で、繰り返し使用することができると共に、汚損したものを新しいものに交換するときの経済的負担も極めて僅かで済む。
【発明を実施するための最良の形態】
【００１７】
以下、図面を参照してこの発明の好ましい実施形態の一例を説明する。
図１は、板紙から打ち抜かれた筒体１１ｂの展開図で、中央に縦方向のティッシュペーパ取出し用の長孔１を設けた矩形の前面板２の両側に山折線３ａで細長い片台形の側板４が連接され、当該側板の一方の後辺下部に山折線３ｂで前面板２の約半分の高さの背面板５が連結され、当該背面板５の反対側の側辺に山折線３ｃで糊代片６が連結されている。両側板４及び前後の面板２、５の下辺には、山折線３ｄを介して底面を組立てる底形成片７が設けられている。側板４とその下辺に設けた底形成片７ｃ、７ｄには、側板４の前縁と後縁のちょうど２等分線となる位置に折畳み線８（谷折）が設けられている。側板４の背面側の上端の角は、デザイン上の観点から角丸形状としてある。
【００１８】
図２は、一枚の板紙から打ち抜いた挿入体の展開図で、前記前面板２より僅かに縦方向寸法が短く、かつ板紙の厚さ分だけ幅狭の矩形の受板９の両側に山折線３ｅを介して三角形の内側板１０を連結した形状である。この三角形の前縁と後縁の傾斜角は、筒体の側板４の前縁と後縁の傾斜角と等しくする。
【００１９】
図１、２の例では、側板４及び内側板１０の後縁は垂直となっているが、前倒れ方向に傾斜させた形状とすることも好ましい形状の一つである。
【００２０】
図の内側板１０が三角形状となっているのは、筒体の側板４の上端の幅４ａをこのホルダに挿入されるティッシュペーパのカートンの厚さと等しい厚さにしたためであって、上記幅４ａをカートンの厚さより大きくしたときは、内側板１０は台形形状となる。
【００２１】
図１のように打ち抜いた筒体は、糊代片６を対向する側板の後辺内側４ｂに接着して筒体とし、折畳み線８を内側に折り込むことによって、ティッシュペーパのカートンの平面寸法より底形成片７の分だけ細長い略矩形形状に折畳まれる（図３参照）。一方、図２の挿入体１２も内側板１０を内側へ折畳むことにより、矩形形状に折畳まれるので、両者を合せて封筒状の包装袋１３に挿入して、在庫としての貯蔵、運搬、店頭での陳列、販売や配布などを行う。
【００２２】
使用者は、折畳まれた筒体１１ａと挿入体１２を包装袋から出し、折畳まれた側板を平らにして底形成片７ａないし７ｄを内側に折り込んで組み合わせることにより、底面１４を形成して角筒状の筒体１１を組立てる。
【００２３】
図の構造は、図４に示すように、先端辺にコの字形の凹部を形成した底形成片７ｄをまず折曲げ、次にその左右の底形成片７ａ、７ｂを折り込むことによって、形成された差込口１５に最後の底形成片７ｃの中央の差込辺１６を差し込むことによって底面１４を組み立てる構造であるが、他の構造、例えば底形成片を対向する両側板又は前後の面板の下辺にのみ設けるとか、底面１４を開閉可能にするなどの構造を採用してもよい。
【００２４】
側板４を連接する底形成片７ｃ、７ｄを山折線３ｄで折り曲げることによって折畳み線８は展開された状態で固定され、形の整った断面方形の筒体１１が形成される。
【００２５】
次に内側板１０を９０度折り曲げた挿入体１２を当該内側板の外面が筒体の側板４の内面に添設され、かつその後縁が背面板５の内面に当接するように筒体１１内に差し込む。
【００２６】
挿入体の構造として、内側板１０のいずれか一方の後縁に折れ線で連接して、筒体の背面板５の内側に添設される内背面板を設ける構造とすることもできる。また、底形成片相互を粘着テープで組み立てる構造や、内側板１０を両面粘着テープで側板４の内面に貼着する構造など、粘着テープを使用する組立構造とすることもできる。
【００２７】
このように組み立てた筒体の前面板２と挿入体の受板９との間に矩形の空間が形成されるので、当該空間にカートン入りのティッシュペーパ１８を上方から挿入する。受板９と筒体の背面板５との間には、上部が開放された空所１９が形成されるので、当該空所を小物入れないし使用した後のティッシュペーパの屑入とする（図５参照）。
【００２８】
上記の使用形態から理解されるように、筒体の前面板２の寸法は、挿入されるティッシュペーパの大きさにあった寸法とし（ティッシュペーパが斜めに挿入されるので、前面板２の下部を長くしておくことが必要である）、前面板２と受板９の間に形成される空間の厚さを挿入されるティッシュペーパの厚さに合せた寸法とする。この空間の厚さは、筒体の側板４と挿入体の内側板１０との幅方向の寸法差によって決定される。小物入れないし屑入とする空所１９の大きさは、側板の幅を広くすることにより、適宜大きくすることが可能である。
【００２９】
挿入体の受板９には図６に示すように、ホルダに挿入されたティッシュペーパの底面を前面板２側に付勢する切り起し片２０を設けておくことができる。カートンに収納されたティッシュペーパを挿入して使用するときは、このような切り起し片２０は設ける必要がない。
【図面の簡単な説明】
【００３０】
【図１】筒体の展開図
【図２】挿入体の展開図
【図３】折畳まれた筒体の斜視図
【図４】組立て途中の筒体を下方から見た斜視図
【図５】挿入体とケース入りティッシュペーパの筒体への挿入を示す斜視図
【図６】切り起し片を設けた挿入体の斜視図
【符号の説明】
【００３１】
１  長孔
２  前面板
３  山折線
４  側板
５  背面板
７  底成形片
８  折畳み線
９  受板
10  内側板
11  筒体
12  挿入体
【図１】
2006206098.tif 000003
【図２】
2006206098.tif 000004
【図３】
2006206098.tif 000005
【図４】
2006206098.tif 000006
【図５】
2006206098.tif 000007
【図６】
2006206098.tif 000008